(57)【要約】【課題】本発明は、送風装置において、更なる使用感の向上を目的とするものである。【解決手段】そしてこの目的を達成するために本発明は、高圧空気を発生させる高圧空気発生部１と、高圧空気発生部１の上方の接続された筒状のダクト２と、ダクト２から空気を吹出すノズル部１４を備え、高圧空気発生部１の内部に、高圧空気発生部１に吸込んだ空気をダクト２内へ流す高圧空気風路６を設けた。また、高圧空気風路６には、仕切り壁１１を設け、この仕切り壁１１上方のノズル部１４にダクト２内からダクト２外への風路ガイド１５を設けた。【選択図】図２
2014173425.tif 000002
【特許請求の範囲】
【請求項１】
内部の送風機によって高圧空気を発生させる高圧空気発生部と、この高圧空気発生部の上方に接続された筒状のダクトとを備え、
前記高圧空気発生部の内部に、前記送風機による旋回流を、前記ダクト内方向の流れに偏向する高圧空気風路を設けるとともに、この高圧空気風路には、前記送風機による旋回流方向に所定間隔で複数の仕切り壁を設け、前記ダクトの、前記仕切り壁近傍の上方には、縦方向の開口により形成されたノズル部を設け、このノズル部で縦方向の中心部よりも下方に、ダクト内からダクト外への風路ガイドを設けたことを特徴とする送風装置。
【請求項２】
仕切り壁を円弧状に形成したことを特徴とする請求項１に記載の送風装置。
【請求項３】
高圧空気風路は円錐形状の内側壁と、この内側壁の外周部分を所定間隔で覆った外側壁とにより形成したことを特徴とする請求項１または２に記載の送風装置。
【請求項４】
仕切り壁の上端は、高圧空気風路を構成する内側壁の上端と同一位置もしくは上方位置となるように形成した請求項３に記載の送風装置。
【発明の詳細な説明】
【技術分野】
【０００１】
本発明は、例えば室内において送風による快適感を持つ、いわゆる扇風機のような送風装置に関する。
【背景技術】
【０００２】
ファンのない送風装置として脚光を浴びているものは、例えば図５に示すような構成となっていた。
【０００３】
すなわち、図５に示すように、ダクト１０１は、高圧空気発生部１０２から上方へ伸び、ダクト１０１内を流れる空気をノズル部１０３から水平方向に吹き出す構成となっていた（例えば、特許文献１参照）。
【０００４】
つまり、高圧空気発生部１０２内に送風機（図示せず）を内蔵させることで、ファンが目視できない構造としていたのである。
【先行技術文献】
【特許文献】
【０００５】
【特許文献１】特開２０１０−２０３４５２号公報
【発明の概要】
【発明が解決しようとする課題】
【０００６】
上記従来例における課題は、使用感をさらに高めることであった。
【０００７】
すなわち、ダクト１０１内を流れる空気は、ノズル部１０３から水平方向に吹き出されることになるのであるが、ダクト１０１は、高圧空気発生部１０２上に設けられているので、いわゆる足元側への送風量が少なくなり、使用感をさらに高めることが求められているのである。
【０００８】
そこで、本発明は、足元側への送風量を大きくすることで、使用感の向上を図ることを目的とするものである。
【課題を解決するための手段】
【０００９】
そして、この目的を達成するために本発明は、内部の送風機によって高圧空気を発生させる高圧空気発生部と、この高圧空気発生部の上方に接続された筒状のダクトとを備え、前記高圧空気発生部の内部に、前記送風機による旋回流を、前記ダクト内方向の流れに偏向する高圧空気風路を設けるとともに、この高圧空気風路には、前記送風機による旋回流方向に所定間隔で複数の仕切り壁を設け、前記ダクトの、前記仕切り壁近傍の上方には、縦方向の開口により形成されたノズル部を設け、このノズル部で縦方向の中心部よりも下方に、ダクト内からダクト外への風路ガイドを設け、これにより所期の目的を達成するものである。
【発明の効果】
【００１０】
以上のように本発明は、内部の送風機によって高圧空気を発生させる高圧空気発生部と、この高圧空気発生部の上方に接続された筒状のダクトとを備え、前記高圧空気発生部の内部に、前記送風機による旋回流を、前記ダクト内方向の流れに偏向する高圧空気風路を設けるとともに、この高圧空気風路には、前記送風機による旋回流方向に所定間隔で複数の仕切り壁を設け、前記ダクトの、前記仕切り壁近傍の上方には、縦方向の開口により形成されたノズル部を設け、このノズル部で縦方向の中心部よりも下方に、ダクト内からダクト外への風路ガイドを設けたものであるので、足元側への送風量を大きくし、使用感の向上を図ることができる。
【００１１】
すなわち、本発明においては、高圧空気発生部からの空気は高圧空気風路を通ってダクト内に流れ込むが、高圧空気風路に仕切り壁を設けることでダクト内に流れ込む空気流の流速に分布を発生させ、正圧面側の空気流の流速を負圧面側よりも速くすることができる。
【００１２】
そして、この速い流速の空気流が上昇する部分に、ダクトのノズルを設けるとともに、このノズルで縦方向の中心部よりも下方に、ダクト内からダクト外への風路ガイドを設けたものであるので、速い流速の空気流を足元側へも十分に送風することが出来、その結果として、使用感の向上を図ることができるのである。
【図面の簡単な説明】
【００１３】
【図１】本発明の実施の形態１の送風装置の斜視図
【図２】同送風装置のダクト下部および高圧空気発生部の垂直断面図
【図３】同送風装置のダクト下部から下方をみた水平断面図
【図４】同送風装置の高圧空気発生部の前方からみた一部切欠斜視図
【図５】従来例の構成を示す斜視図
【発明を実施するための形態】
【００１４】
（実施の形態１）
図１は、本発明の実施の形態１の送風装置の斜視図である。図２は、図１を垂直平面により切断した断面図である。
【００１５】
図１、図２に示すように送風装置は、下部の高圧空気発生部１と、この高圧空気発生部１上に設けたダクト２とを備えている。
【００１６】
高圧空気発生部１は、円筒状の本体ケース部３と、送風機として、この本体ケース部３内において水平方向に回転する羽根車４およびこの羽根車４を駆動するモータ５と、前記本体ケース部３内の羽根車４やモータ５よりも上方に設けた高圧空気風路６から構成される。
【００１７】
本体ケース部３は、鉛直方向へ伸びた円筒形状で、上面には、円形状の連通部７を有し、下面が閉塞している。また、本体ケース部３は、側周面の下部に、円環状に吸気口８を有する。羽根車４は、上述のごとく、モータ５によって駆動されるが、大気圧以上で、大気圧＋１０ｋＰａ以下の高圧空気を発生させる。
【００１８】
高圧空気風路６は、本体ケース部３内の羽根車４とダクト２との間において、上面および下面が開口した中空の略円錐台形状に形成された外側壁９と、この外側壁９の内方に所定間隔を置いて配置された中空の略円錐形状の内側壁１０とによって形成されている。
【００１９】
図３、図４から理解されるように、この高圧空気風路６を複数の小風路に間仕切りする仕切り壁１１が、内側壁１０上に、鉛直上方からみて放射状かつ円弧状に形成されている。  この仕切り壁１１の下端は羽根車４よりも下流側に配置され、上端は内側壁１０の上端と同一位置、またはその上方に配置されている。
【００２０】
ダクト２は、高圧空気発生部１の本体ケース部３の上面に接続され、上方へ伸びる円筒状で、その長手方向における上端には閉塞部１２を有する。
【００２１】
つまり、ダクト２の先端を閉塞部１２で塞いでいる。そして、このダクト２内の空間が風路１３となる。
【００２２】
この風路１３と、本体ケース部３内とは、連通部７を介して連通している。ダクト２の長手方向、つまり上下方向には、縦長四角形状の開口で形成されたノズル部１４を備えている。
【００２３】
ノズル部１４はダクト２の長手方向において複数に分割されているが、少なくとも、このダクト２の長手方向の中心よりも下方に存在するノズル部１４上には、風路１３からノズル部１４に流入する流れの風向を変える風路ガイド１５が設けられている。風路ガイド１５はノズル部１４上部の壁面で構成されている。
【００２４】
仕切り壁１１は、図３に示すように、この風路ガイド１５の直下に配置されている。
【００２５】
つまり、前記ダクト２の、前記仕切り壁１１近傍の上方に、縦方向の開口により形成されたノズル部１４が存在する状態となっている。
【００２６】
本実施の形態では、ダクト２を鉛直上方からみたときに、風路ガイド１５の鉛直下方に仕切り壁１１を配置し、さらに、ノズル部１４をこの仕切り壁１１の負圧面１６側に配置している。ここで、負圧面１６について説明すると、高圧空気風路６内の空気流は、図４に示すようにダクト２の長手方向を軸として例えば時計方向に回転しているため、仕切り壁１１に沿って流れる際に仕切り壁１１と相互に押し合って静圧が上昇し、仕切り壁１１の一方には他方よりも静圧の高い正圧面１７が生じる。逆に、正圧面１７ではない側の面は相対的に静圧が低くなる。この面を負圧面１６としている。
【００２７】
以上の構成における、送風動作について説明する。
【００２８】
まず、本体ケース部３内に設けたモータ５によって羽根車４が時計方向に駆動されると、本体ケース部３外の空気は、本体ケース部３の吸気口８から吸い込まれ、連通部７へ送風される。次に、この連通部７を介して、ダクト２内の風路１３に送風され、この風路１３を介してダクト２の一方側の側周面のノズル部１４からダクト２外へ吹き出される。
【００２９】
吹出された空気は周囲の空気を巻き込みながら使用者に当たり、使用者に快適な涼感を提供することができる。
【００３０】
本実施形態の特徴は、使用者の足元への風量を多くすることで、使用者の体全体に送風し、より快適な涼感を提供することである。
【００３１】
以下、その作用について説明する。
【００３２】
高圧空気発生部１に吸込まれた空気は高圧空気風路６を通ってダクト２内に流れ込むが、高圧空気風路６に仕切り壁１１を設けることでダクト２内に流れ込む空気流の流速に分布を生じさせ、正圧面側の空気流の流速を負圧面側よりも速くしている。
【００３３】
具体的には、仕切り壁１１を設けることで羽根車４によって作られる空気流は、仕切り壁１１に沿って流れて上端に達し、連通部７を通ってダクト２内の風路１３に流れ込むので、空気流は仕切り壁１１の正圧面１７に沿って流れるため、負圧面１６側よりも正圧面１７側の空気流の速度が速くなる。
【００３４】
そして、風路１３からノズル部１４に流入する流れの風向を変える風路ガイド１５を設け、高圧空気発生部１から流れ込む空気流をこの風路ガイド１５に沿わせて流れの方向を変え、ダクト２下部のノズル部１４から流速の速い空気を吹出させている。
【００３５】
具体的には、高圧空気発生部１からダクト２に流れ込む空気流はほぼ鉛直上方向きに流れるため、ダクト２の上部のノズル部１４へと流れやすいが、ダクト２の下部に風路ガイド１５を設けているので、空気流の一部はこの風路ガイド１５に当たり、これに沿って流れの向きを変えてほぼ水平向きとなり、速い流速を保ったままノズル部１４から吹出させることができる。
【００３６】
さらに、風路ガイド１５の直下に仕切り壁１１を設けることで、高圧空気風路６の仕切り壁１１の正圧面１７側からノズル部１４に流れこむ流速の速い空気流を風路ガイド１５に当て、より流速の速い空気をノズル部１４から吹出させている。
【００３７】
具体的には、ダクト２を鉛直上方からみたときに、風路ガイド１５の鉛直下方に仕切り壁１１を配置し、さらに、ノズル部１４をこの仕切り壁１１の負圧面１６側に配置している。仕切り壁１１の正圧面１７側からダクト２内に流れ込む空気流は、風路ガイド１５に当たって向きを変えてノズル部１４から吹出されるが、この空気流は羽根車４の作用によってダクト２の長手方向を軸としたわずかな時計方向への回転方向速度成分を持つため、この正圧面１７側から流れこむ流速の速い空気流は風路ガイド１５に達するときにはわずかに負圧面１６側に回転している。ノズル部１４は鉛直上方から見て仕切り壁１１の負圧面１６側に配置しているので、この空気流を風路ガイド１５に当てることができ、流速の速い空気をノズル部１４から吹出させることができる。
【００３８】
これらの作用によって、ダクト２下部のノズル部１４から吹出される空気流の流速を速くすることができ、周囲の空気をより多く巻き込むことができるので、使用者の足元への送風量が大きくなり、更なる使用感の向上ができるものである。
【００３９】
また、仕切り壁１１を円弧状に形成したことにより、高圧空気風路６内をダクトの長手方向を軸として回転方向に流れる空気流を乱すことなく効率よく中央に集めることができる。
【００４０】
また、高圧空気風路６の内側壁１０を鉛直上方に向う円錐形状に形成したことにより、内側壁１０に沿わせて空気流を流し、ダクト２内に流れ込む空気流の方向をスムーズに鉛直上方向きに変えることができる。
【００４１】
また、仕切り壁１１の上端を内側壁１０の上端と同一位置、またはそれよりも上方に形成した。
【００４２】
つまり、仕切り壁１１に沿って流れる空気流は、ダクト２の長手方向を軸として回転方向の流速を持っており、ダクト２内で回転気流を生じさせてノズル部１４より吹出される空気流に対して圧力損失として働いてしまうが、内側壁１０によって空気流の方向が鉛直上方寄りに変えられた空気流に対してさらに仕切り壁１１に沿わせて流すことでダクト２内での回転気流の発生を抑制し、ノズル部１４から吹出される空気流に対する圧力損失を低減することができる。
【００４３】
なお、仕切り壁１１の上端を内側壁１０の上端よりも上方位置となるように形成してもよい。このようにすると、仕切り壁１１に沿って上方に流れる距離が長くなるので、ダクト２内での回転気流の発生をより抑制することができるものである。
【産業上の利用可能性】
【００４４】
本発明によれば、ダクト下部のノズル部からより流速の速い空気を吹出させることができ、周囲の空気をより多く巻き込むことができるので、使用者の足元への送風量が大きくなり、更なる使用感の向上を可能とする送風装置を提供できるものである。したがって、家庭用や事務用、公共空間などの、送風装置としての活用が期待されるものである。
【符号の説明】
【００４５】
１  高圧空気発生部
２  ダクト
３  本体ケース部
４  羽根車
５  モータ
６  高圧空気風路
７  連通部
８  吸気口
９  外側壁
１０  内側壁
１１  仕切り壁
１２  閉塞部
１３  風路
１４  ノズル部
１５  風路ガイド
【図１】
2014173425.tif 000003
【図２】
2014173425.tif 000004
【図３】
2014173425.tif 000005
【図４】
2014173425.tif 000006
【図５】
2014173425.tif 000007